(57)【特許請求の範囲】
【請求項１】
長手方向の端部にキャップ嵌合部を有し筒状中空部内に補強部材が嵌挿された棚板本体と、該棚板本体のキャップ嵌合部に嵌合凸部が嵌合固着されて前記補強部材の抜けを防止し得ると共に棚板本体を支柱に支持し得るサイドキャップと、を備えた棚板であって、
前記サイドキャップは、前記補強部材に対応する部位に、サイドキャップの側壁に予め形成された複数の連設した切欠孔と前記補強部材の凹部に嵌挿され前記嵌合凸部とは別に一体形成された嵌合凸部を有し、前記切欠孔間の連結部分を切断することによりサイドキャップから分離されて補強部材を棚板本体から抜き取り得る分離部を有することを特徴とする棚板。
【請求項２】
長手方向の端部にキャップ嵌合部を有し筒状中空部内に補強部材が嵌挿された棚板本体と、該棚板本体のキャップ嵌合部に嵌合凸部が嵌合固着されて前記補強部材の抜けを防止し得ると共に棚板本体を支柱に支持し得るサイドキャップと、を備えた棚板であって、
前記サイドキャップは、前記補強部材に対応する部位に、サイドキャップの側壁に予め形成された板厚方向の凹溝と前記補強部材の凹部に嵌挿され前記嵌合凸部とは別に一体形成された嵌合凸部を有し、前記凹溝を切断することによりサイドキャップから分離されて補強部材を棚板本体から抜き取り得る分離部を有することを特徴とする棚板。
【請求項３】
前記棚板本体とサイドキャップが樹脂によって形成され、前記補強部材が金属によって形成されていることを特徴とする請求項１または２に記載の棚板。
【発明の詳細な説明】
【０００１】
【発明の属する技術分野】
本発明は、食器や書籍等を収納する収納棚やこの収納棚を有する収納家具等に使用される棚板に係わり、特にリサイクル性に優れた棚板に関する。
【０００２】
【従来の技術】
従来、この種の棚板としては、例えば図７に示すものが知られている。この棚板１０１は、樹脂の押出成形により角筒状中空部を有する如く形成された棚板本体１０２と、この棚板本体１０２の長手方向の両端開口部に嵌合された一対の樹脂製のサイドキャップ１０３を有し、サイドキャップ１０３を棚板本体１０２にそれぞれ熱溶着することにより、棚板本体１０２の角筒状中空部内に嵌挿された補強鉄芯１０４の抜けが防止されている。（例えば特開平１０−１８０８３５号公報参照）。
【０００３】
このサイドキャップ１０３を棚板本体１０２に熱溶着する理由は、図８に示すように、支柱１０５の支持ピン１０６に支持されるサイドキャップ１０３と棚板本体１０２とを固着しないと、棚板本体１０２上に収納物１０７を載せた際の棚板本体１０２の下方への撓みで、該棚板本体１０２の端部とサイドキャップ１０３間に隙間ｔが生じ、収納物１０７の重量によっては棚板本体１０２がサイドキャップ１０３から外れて下方に脱落する虞があるからである。
【０００４】
【発明が解決しようとする課題】
しかしながら、この棚板１０１にあっては、棚板本体１０２とサイドキャップ１０３が樹脂製で補強鉄芯１０４が金属製の異材質であることから、棚板１０１の廃棄時にはこれらを分別する必要があるが、その際、棚板本体１０２にサイドキャップ１０３が熱溶着で固着されているため、サイドキャップ１０３を棚板本体１０２から取り外して、異材質の棚板本体１０２と補強鉄芯１０４とを分別することが容易にできず、リサイクルへの対応が不十分であるという問題点を有している。
【０００５】
本発明は、このような事情に鑑みてなされたもので、その目的は、異材質の棚板本体と補強部材との分別が極めて容易に行えてリサイクル性に優れると共に、分離部の分離作業を容易に行い得る棚板を提供することにある。
【０００６】
【課題を解決するための手段】
かかる目的を達成すべく、本発明のうち請求項１記載の発明は、長手方向の端部にキャップ嵌合部を有し筒状中空部内に補強部材が嵌挿された棚板本体と、該棚板本体のキャップ嵌合部に嵌合凸部が嵌合固着されて前記補強部材の抜けを防止し得ると共に棚板本体を支柱に支持し得るサイドキャップと、を備えた棚板であって、前記サイドキャップは、前記補強部材に対応する部位に、サイドキャップの側壁に予め形成された複数の連設した切欠孔と前記補強部材の凹部に嵌挿され前記嵌合凸部とは別に一体形成された嵌合凸部を有し、前記切欠孔間の連結部分を切断することによりサイドキャップから分離されて補強部材を棚板本体から抜き取り得る分離部を有することを特徴とする。
【０００７】
また、請求項２記載の発明は、長手方向の端部にキャップ嵌合部を有し筒状中空部内に補強部材が嵌挿された棚板本体と、該棚板本体のキャップ嵌合部に嵌合凸部が嵌合固着されて前記補強部材の抜けを防止し得ると共に棚板本体を支柱に支持し得るサイドキャップと、を備えた棚板であって、前記サイドキャップは、前記補強部材に対応する部位に、サイドキャップの側壁に予め形成された板厚方向の凹溝と前記補強部材の凹部に嵌挿され前記嵌合凸部とは別に一体形成された嵌合凸部を有し、前記凹溝を切断することによりサイドキャップから分離されて補強部材を棚板本体から抜き取り得る分離部を有することを特徴とする。
【０００８】
このように構成することにより、棚板本体の筒状中空部内に嵌挿された補強部材は、棚板本体端部のキャップ嵌合部に嵌合凸部が嵌合固着されたサイドキャップでその抜けが防止されつつ棚板本体を補強し、この棚板本体上に収納物が載せられる。一方、棚板を廃棄する場合は、サイドキャップに一体的に設けられた分離部を分離することで、補強鉄芯を棚板本体から抜き取りでき、棚板本体と補強鉄芯の分別が簡単に行えて、棚板の廃棄作業が容易となる。また、複数の連設した切欠孔の連結部分や凹溝部分を例えばカッター等で切断することで、分離部がサイドキャップの側壁から分離されることから、廃棄時の分離部のサイドキャップからの分離作業を容易に行うことができる。
【０００９】
また、請求項３記載の発明のように、棚板本体とサイドキャップが樹脂によって形成され、補強部材が金属によって形成されていることが好ましい。このように構成することにより、棚板本体とこれに固着されるサイドキャップが樹脂で形成され、補強部材が金属で形成されることから、金属製の補強部材で樹脂製の棚板本体を確実に補強しつつ棚板本体等の軽量化が図れると共に、廃棄時に金属と樹脂とを簡単に分別できて、リサイクル性により優れた棚板が得られる。
【００１０】
【発明の実施の形態】
以下、本発明の実施の形態を図面に基づいて詳細に説明する。
図１〜図５は、本発明に係わる棚板の一実施例を示し、図１がその要部の分解斜視図、図２がサイドキャップの分離部の縦断面図、図３がその横断面図、図４が分離部の分解斜視図、図５がその説明図である。
【００１１】
図１において、棚板１は、上面部２ａ、下面部２ｂ、前面部２ｃ及び後面部２ｄとを有する棚板本体２と、この棚板本体２の筒状中空部３内に嵌挿された補強鉄芯４と、棚板本体２の長手方向（図の矢印イ方向）の両端部に嵌合固着された一対のサイドキャップ５（図では一方のサイドキャップ５のみ示す）とで構成されている。
【００１２】
前記棚板本体２は、樹脂（例えばＰＰ）の押出成形によって形成され、内部に多数の筒状中空部３を有し、この筒状中空部３のうち前後の２カ所の筒状中空部３内に、断面コ字状（もしくは断面ロ字状）の例えば鉄、ステンレス、アルミニウム等の金属材からなる補強鉄芯４が長手方向イにスライド移動可能にそれぞれ嵌挿されている。また、棚板本体２の長手方向の両端部には、各筒状中空部３の開口により形成される複数個（図では６個）のキャップ嵌合凹部６が設けられ、この各キャップ嵌合凹部６にサイドキャップ５の嵌合凸部７が嵌合し得るように構成されている。
【００１３】
前記サイドキャップ５は、樹脂成形によって上面壁５ａ、下面壁５ｂ、正面壁５ｃ、背面壁５ｄ及び一対の側面壁５ｅを有する如く忠実状（もしくは中空状）に形成され、背面壁５ｄ側に前記キャップ嵌合凹部６に対応して複数個（図では６個）の嵌合凸部７が一体的に形成されている。なお、各嵌合凸部７は、その先端側の上下面にキャップ嵌合凹部６への嵌合が容易に行えるように傾斜部が設けられている。
【００１４】
そして、このサイドキャップ５の長手方向（図の矢印ロ方向）の前後側で前記補強鉄芯４と対応する位置には、分離部８が一体的に設けられている。この分離部８は、図２〜図４に示すように、正面視略方形状に形成され、その外周部に正面壁５ｃ側から背面壁５ｄ側に向けて形成された複数個（図では６個）の切欠孔８ａを有している。この各切欠孔８ａ間の連結部分８ｂの正面壁５ｃ側の一部が残存することにより、分離部８がサイドキャップ５に一体形成されている。
【００１５】
この分離部８は、連結部分８ｂを切断することによりサイドキャップ５から分離されて、該部分に分離部８の大きさに略対応した開口９（図５参照）が形成される。なお、分離部８の大きさ（切欠孔８ａ部分の大きさ）は、棚板本体２の筒状中空部３内に嵌挿されている補強鉄芯４の外形形状より所定寸法大きくなるように設定されている。
【００１６】
また、分離部８の背面壁５ｄ側には、先端に傾斜部を有する嵌合凸部１０が一体形成され、この嵌合凸部１０には該嵌合凸部１０に弾性機能を付加する前後方向のスリット１０ａが２条形成されている。さらに、図１に示すように、サイドキャップ５の分離部８の両側の下面壁５ｂには、上方に略半円弧形状に窪んだ支持ピン嵌合部１１がそれぞれ一体形成されており、この前後一対の支持ピン嵌合部１１により棚板１がサイドキャップ５を介して支柱１０５（図１０参照）に支持される。
【００１７】
このように構成されたサイドキャップ５は、その嵌合凸部７を棚板本体２のキャップ嵌合凹部６に嵌合させ、熱溶着や接着剤等による固着手段で棚板本体２の長手方向の両端部に強固に固着されており、この時、分離部８の嵌合凸部１０は、棚板本体２の筒状中空部３内に嵌挿されている補強鉄芯４の凹部４ａ内に嵌挿された状態となる。このサイドキャップ５が棚板本体２に固着された状態で、サイドキャップ５の支持ピン嵌合部１１を支柱１０５に設けた支持ピン１０６（図１０参照）に嵌合させることにより、棚板１が支柱１０５に設置されて例えば収納棚として使用される。
【００１８】
この棚板１の支柱１０５への設置時に、サイドキャップ５の分離部８の前後に２つの支持ピン嵌合部１１が設けられていることから、２つの支持ピン１０６で棚板１が支柱１０５に強固に支持されると共に、支持ピン１０６が一つの場合は、所定位置の支持ピン嵌合部１１を選択使用することにより棚板１が支柱１０５に支持される。
【００１９】
そして、例えば使用により古くなった棚板１を廃棄する場合は、次のようにして廃棄する。すなわち、先ず、棚板１を支柱１０５から取り外して、図４及び図５に示すサイドキャップ５の分離部８の連結部分８ｂを、カッター等で切断し、分離部８を図４の二点鎖線で示すように、サイドキャップ５から分離する。この時、カッターによる切断は、図５の二点鎖線ａで示す位置を切断することで、分離された分離部８の後に略方形状の前記開口９が形成されることになる。
【００２０】
分離部８の分離でサイドキャップ５に開口９が形成されたら、この開口９を利用して、その奥側に位置している補強鉄芯４を図４の矢印ハの如く抜き取る。この補強鉄芯４の棚板本体２からの抜き取りにより、金属製の補強鉄芯４と樹脂製の棚板本体２及びこれに固着されたサイドキャップ５とが分別され、棚板本体２とサイドキャップ５及び分離した分離部８は樹脂として、また補強鉄芯４は金属として分別して廃棄することができる。つまり、サイドキャップ５に予め分離部８を一体的に設け、棚板１の廃棄時にこの分離部８を分離し、異材質の補強鉄芯４を棚板本体２から抜き取ることで、棚板１に使用される金属製部材と樹脂製部材とが確実に分別されることになる。
【００２１】
このように、上記実施例の棚板１によれば、棚板本体２のキャップ嵌合凹部６に嵌合固着されるサイドキャップ５に、分離可能な分離部８を一体的に設けているため、この分離部８をサイドキャップ５から分離させることにより、補強鉄芯４の側方に開口９が形成され、この開口９から金属製の補強鉄芯４を樹脂製の一体化された棚板本体２とサイドキャップ５から抜き取ることができて、棚板１の金属製部材と樹脂製部材とを簡単に分別することができる。特に、連結部分８ｂをカッター等で切断することにより分離部８をサイドキャップ５から分離できることから、分別作業を極めて容易に行うことができて、リサイクル性に優れた棚板１を得ることが可能になる。
【００２２】
また、棚板本体２が樹脂製で形成されているため、その軽量化が図れて、棚板１の組み立て時や棚板本体２の運搬や保管等が容易になると共に、キッチン等の水廻りにも好適に使用でき、棚板１の使い勝手の向上を図ることができる。また、サイドキャップ５の樹脂成形時に切欠孔８ａを設定するだけで対応できるため、サイドキャップ５自体の部品コストのアップを抑えることができ、リサイクル費用を含めた棚板１に係わるコストを低減させて、安価な棚板１を得ることが可能になり、特にこの種の棚板１が広く使用されていることから、大きな効果として期待できる。
【００２３】
さらに、棚板本体２とサイドキャップ５が共に樹脂製であるため、これらを分別する必要がなく、両部材を強固に固着できて棚板１の支柱１０５への支持状態を安定させることができると共に、サイドキャップ５が、その分離部８の前後に２つの支持ピン嵌合部１１を有するため、分離部８を設けることによるサイドキャップ８の剛性低下を両支持ピン嵌合部１１で支持させることで補うことができ、棚板１を支柱１０５に所定強度でより安定支持させることができる。
【００２４】
なお、この実施例においては、切欠孔８ａにより分離部８を形成したが、例えば図６に示すように、サイドキャップ５の所定の面壁に外側から板厚方向（切欠孔８ａ方向）の凹溝１２を形成し、この凹溝１２部分を外面側から二点鎖線ａで示すようにカッター等で切断することにより、分離部８を分離させて開口９を形成するようにしても良い。
【００２５】
このように、サイドキャップ５から分離される分離部８の分離構造としては、廃棄以外の時に補強鉄芯４の抜けを確実に防止し、廃棄時に外側からの作業で分離できる適宜の構造を採用することができ、例えば上記した二つの例を組み合わせて使用したり、あるいは分離部８やサイドキャップ５を中空状に形成した場合は、面壁の内面側から凹溝を形成し、この凹溝に対応した面壁の外面に切断位置を示す印を付けるように形成することもできる。
【００２６】
なお、上記実施例においては、サイドキャップ５の分離部８の前後に２つの支持ピン嵌合部１１を設けたが、本発明はこれに何等限定されず、従来と同様の一つであってもよいし、その形状も適宜に変更することができる。また、上記実施例における、サイドキャップ５の全体形状及び材質、嵌合凸部７、１０の形状及び棚板本体２の形状や材質等も一例であって、本発明に係わる各発明の要旨を逸脱しない範囲において適宜に変更することができる。さらに、本発明は、キッチン等の棚板に適用して好適であるが、棚板本体に異材質の部材が嵌挿等されていて、サイドキャップ５が溶着、接着、溶接等で固着されて容易に外れない構造の全ての棚板に適用することができる。
【００２７】
【発明の効果】
以上詳述したように、請求項１記載の発明によれば、棚板本体のキャップ嵌合部にサイドキャップの嵌合凸部が嵌合され、このサイドキャップの補強部材と対応する部位に分離部が設けられているため、この分離部を分離することで、補強鉄心を棚板本体から抜き取ることができて、棚板本体と補強鉄心の分別が簡単となり、リサイクル性に優れた棚板を得ることができる。また、分離部がサイドキャップの側壁に予め形成された複数の連設した切欠孔を有しているため、各切欠孔間の連結部分をカッター等で切断することにより分離部をサイドキャップから簡単に分離できて、分離部の分離作業を容易に行うことができる。
【００２８】
また、請求項２記載の発明によれば、棚板本体のキャップ嵌合部にサイドキャップの嵌合凸部が嵌合され、このサイドキャップの補強部材と対応する部位に分離部が設けられているため、この分離部を分離することで、補強鉄心を棚板本体から抜き取ることができて、棚板本体と補強鉄心の分別が簡単となり、リサイクル性に優れた棚板を得ることができる。また、離部がサイドキャップの側壁に予め形成された板厚方向の凹溝を有しているため、この凹溝部分をカッター等で切断することにより分離部をサイドキャップから簡単に分離できて、分離部の分離作業を容易に行うことができる。
【００２９】
また、請求項３記載の発明によれば、請求項１または２記載の発明の効果に加え、棚板本体とこれに固着されるサイドキャップが樹脂で形成され、補強部材が金属で形成されているため、金属製の補強部材で樹脂製の棚板本体を確実に補強しつつ棚板本体等の軽量化が図れると共に、廃棄時に金属と樹脂を簡単に分別できてリサイクル性に一層優れた棚板を得ることができる等の効果を奏する。
【図面の簡単な説明】
【図１】本発明に係わる棚板の一実施例を示す要部の分解斜視図
【図２】同サイドキャップの分離部の縦断面図
【図３】同その横断面図
【図４】同分離部の分解斜視図
【図５】同その説明図
【図６】同分離部の変形例を示す説明図
【図７】従来の棚板の斜視図
【図８】同その説明図
【符号の説明】
１・・・・・・・・棚板
２・・・・・・・・棚板本体
３・・・・・・・・筒状中空部
４・・・・・・・・補強鉄芯
４ａ・・・・・・・凹部
５・・・・・・・・サイドキャップ
６・・・・・・・・キャップ嵌合凹部
７・・・・・・・・嵌合凸部
８・・・・・・・・分離部
８ａ・・・・・・・切欠孔
８ｂ・・・・・・・連結部分
９・・・・・・・・開口
１０・・・・・・・嵌合凸部
１１・・・・・・・支持ピン嵌合部
１２・・・・・・・凹溝
【図１】
0003579662.tif 000002
【図２】
0003579662.tif 000003
【図３】
0003579662.tif 000004
【図４】
0003579662.tif 000005
【図５】
0003579662.tif 000006
【図６】
0003579662.tif 000007
【図７】
0003579662.tif 000008
【図８】
0003579662.tif 000009